【手続補正書】
【提出日】平成28年10月20日(2016.10.20)
【手続補正１】
【補正対象書類名】特許請求の範囲
【補正対象項目名】全文
【補正方法】変更
【補正の内容】
【特許請求の範囲】
【請求項１】
遊技球が流下する遊技領域が形成された遊技盤と、
前記遊技領域を流下する遊技球が進入可能な始動領域と、
前記始動領域への遊技球の進入を条件として、予め設定された第１の乱数範囲から１の大当たり決定乱数を取得するとともに、予め設定された第２の乱数範囲から当たり図柄乱数を取得する乱数取得手段と、
始動条件の成立により、前記乱数取得手段によって取得された大当たり決定乱数を用いて、前記遊技領域に設けられた大入賞口が開放される大役遊技の実行を示す大当たり判定結果、該大役遊技と同一もしくは異なる態様で該大入賞口が開放される小当たり遊技の実行を示す小当たり判定結果、および、該大役遊技および該小当たり遊技のいずれも不実行とすることを示すハズレ判定結果を少なくとも含むいずれかの判定結果を導出する判定結果導出手段と、
前記判定結果導出手段によって前記大当たり判定結果が導出された場合に、前記第２の乱数範囲に含まれる乱数値それぞれに、少なくとも前記大役遊技の実行パターンが規定された複数の大当たり図柄のいずれかが対応付けられた大当たり時用当たり図柄乱数判定テーブルに基づき、前記乱数取得手段によって取得された前記当たり図柄乱数を用いて、いずれかの該大当たり図柄を決定する大当たり図柄決定手段と、
前記判定結果導出手段によって前記小当たり判定結果が導出された場合に、前記乱数取得手段によって取得された前記当たり図柄乱数をｎ（ｎは２以上の自然数）進数に変換した初期変換値を導出する変換処理を実行し、前記小当たり遊技の実行パターンが規定された複数の小当たり図柄のいずれかが、該初期変換値の特定の桁の値ごとに対応付けられた変換値判定テーブルに基づき、該変換処理で導出した該初期変換値の該特定の桁の値に対応する該小当たり図柄を決定する図柄決定処理を実行する小当たり図柄決定手段と、
前記大当たり図柄決定手段によって前記大当たり図柄が決定されたことを条件として、該大当たり図柄に規定された実行パターンで前記大役遊技を実行し、前記小当たり図柄決定手段によって前記小当たり図柄が決定されたことを条件として、該小当たり図柄に規定された実行パターンで前記小当たり遊技を実行する特定遊技実行手段と、
を備えたことを特徴とする遊技機。
【請求項２】
前記変換値判定テーブルは、前記初期変換値の前記特定の桁の値を互いに異にし、該特定の桁以外の桁の値が無効化された複数の変換値ごとに前記小当たり図柄が対応付けられており、
前記小当たり図柄決定手段は、
前記変換処理により前記初期変換値を導出した後、導出した該初期変換値の特定の桁の値を保持し、該特定の桁以外の桁の値を無効化して前記変換値を生成する変換値生成処理を実行し、前記図柄決定処理において、前記変換値判定テーブルに基づき、該変換値生成処理で生成した該変換値に対応する前記小当たり図柄を決定することを特徴とする請求項１に記載の遊技機。
【請求項３】
前記判定結果導出手段によって前記ハズレ判定結果が導出された場合に、ハズレ図柄を決定するハズレ図柄決定手段と、
前記大当たり図柄、小当たり図柄、ハズレ図柄を少なくとも含んで構成される特別図柄のうち、前記大当たり図柄決定手段、前記小当たり図柄決定手段、または前記ハズレ図柄決定手段によって決定された特別図柄の種別、および、予め設定された複数の変動時間決定条件のうちのいずれかの変動時間決定条件にしたがって、該決定された特別図柄を図柄表示部に停止表示させるまでの時間である変動時間を決定する変動時間決定手段と、
前記変動時間決定手段によって前記変動時間が決定されると、決定された該変動時間に亘って前記図柄表示部に図柄の変動表示を行うとともに、該変動時間の経過に伴って、決定された該特別図柄を該図柄表示部に停止表示させる図柄表示制御手段と、
をさらに備え、
前記特定遊技実行手段は、前記図柄表示部に前記大当たり図柄が停止表示されると、該停止表示された大当たり図柄に規定された実行パターンで前記大役遊技を実行し、前記図柄表示部に前記小当たり図柄が停止表示されると、該停止表示された小当たり図柄に規定された実行パターンで前記小当たり遊技を実行し、
前記変換値判定テーブルにおいて前記初期変換値の特定の桁の値に対応付けられた複数の前記小当たり図柄には、前記小当たり遊技の終了後、前記変動時間決定手段が変動時間を決定する際の前記変動時間決定条件と、該変動時間決定条件にしたがって変動時間を決定する回数である特定回数とが規定された特定小当たり図柄が含まれており、
前記変動時間決定手段は、前記特定小当たり図柄が前記図柄表示部に停止表示されて実行される前記小当たり遊技の終了後であって、変動時間の決定回数が、該特定小当たり図柄に規定された前記特定回数の範囲内である場合に、該特定小当たり図柄に規定された前記変動時間決定条件にしたがって変動時間を決定することを特徴とする請求項１または２に記載の遊技機。
【請求項４】
前記遊技領域には、前記始動領域として第１始動領域および第２始動領域が設けられており、
前記変換値判定テーブルは、前記初期変換値の前記特定の桁の値に互いに異なる小当たり図柄が対応付けられた、もしくは、該特定の桁の値に対する前記複数の小当たり図柄の対応付けの割合を異にする第１変換値判定テーブルおよび第２変換値判定テーブルが設けられており、
前記小当たり図柄決定手段は、前記第１始動領域に遊技球が進入して取得された大当たり決定乱数によって前記小当たり判定結果が導出された場合には、前記第１変換値判定テーブルに基づいて前記小当たり図柄を決定し、前記第２始動領域に遊技球が進入して取得された大当たり決定乱数によって該小当たり判定結果が導出された場合には、前記第２変換値判定テーブルに基づいて該小当たり図柄を決定することを特徴とする請求項１〜３のいずれかに記載の遊技機。
【請求項５】
予め設定された乱数範囲から１の乱数を取得する乱数取得手段と、
前記乱数取得手段によって取得された前記乱数をｎ（ｎは２以上の自然数）進数に変換した初期変換値を導出する変換処理を実行し、複数の図柄のいずれかが、該初期変換値の特定の桁の値ごとに対応付けられた変換値判定テーブルに基づき、該変換処理で導出した該初期変換値の該特定の桁の値に対応する図柄を決定する図柄決定処理を実行する図柄決定手段と、
前記図柄決定手段によって所定の図柄が決定されたことを条件として、大入賞口が開放される特定遊技を実行する特定遊技実行手段と、
を備えたことを特徴とする遊技機。
【手続補正２】
【補正対象書類名】明細書
【補正対象項目名】００１２
【補正方法】変更
【補正の内容】
【００１２】
前記遊技領域には、前記始動領域として第１始動領域および第２始動領域が設けられており、前記変換値判定テーブルは、前記初期変換値の前記特定の桁の値に互いに異なる小当たり図柄が対応付けられた、もしくは、該特定の桁の値に対する前記複数の小当たり図柄の対応付けの割合を異にする第１変換値判定テーブルおよび第２変換値判定テーブルが設けられており、前記小当たり図柄決定手段は、前記第１始動領域に遊技球が進入して取得された大当たり決定乱数によって前記小当たり判定結果が導出された場合には、前記第１変換値判定テーブルに基づいて前記小当たり図柄を決定し、前記第２始動領域に遊技球が進入して取得された大当たり決定乱数によって該小当たり判定結果が導出された場合には、前記第２変換値判定テーブルに基づいて該小当たり図柄を決定するとよい。
また、上記課題を解決するために、本発明の遊技機は、予め設定された乱数範囲から１の乱数を取得する乱数取得手段と、前記乱数取得手段によって取得された前記乱数をｎ（ｎは２以上の自然数）進数に変換した初期変換値を導出する変換処理を実行し、複数の図柄のいずれかが、該初期変換値の特定の桁の値ごとに対応付けられた変換値判定テーブルに基づき、該変換処理で導出した該初期変換値の該特定の桁の値に対応する図柄を決定する図柄決定処理を実行する図柄決定手段と、前記図柄決定手段によって所定の図柄が決定されたことを条件として、大入賞口が開放される特定遊技を実行する特定遊技実行手段と、を備えたことを特徴とする。